(57)【特許請求の範囲】
【請求項１】
光源と、
前記光源からの光を導光し、導光した前記光を第１方向に沿って延びる出射面から出射する第１光学部材と、
前記第１方向に交差する第２方向に沿って延び、前記第１方向に沿って並んだ複数の凹部または凸部を表面又は裏面に有し、前記第１光学部材が出射した光が入射する透光性の第２光学部材と、を備え、
前記第２光学部材は、前記第１光学部材から入射する光を、前記複数の凹部または凸部で同一方向に出射させ、且つ、前記複数の凹部または凸部の前記第２方向の端の一部が前記第１光学部材から出射される光を透過させないようにケース部材に覆われる、
ことを特徴とする照明装置。
【請求項２】
前記第１光学部材は、前記第１方向に交差する線状の凹部または凸部を表面または裏面に有する、
ことを特徴とする請求項１に記載の照明装置。
【請求項３】
前記第２光学部材の前記複数の凹部または凸部は、横断面形状を半円状に形成して構成される、
ことを特徴とする請求項１または２に記載の照明装置。
【請求項４】
前記第２光学部材は、前記第１光学部材に対して傾斜または湾曲させて配置した、
ことを特徴とする請求項１乃至３のいずれかに記載の照明装置。
【発明の詳細な説明】
【技術分野】
【０００１】
本発明は、照明装置に関する。
【背景技術】
【０００２】
光源の光を利用する装置の一つとして照明装置が有り、下記特許文献１に開示された表示装置でも光源の光を利用している。
特許文献１に開示された表示装置は、複数の発光部を列状に配置し、発光部を囲むケースの上部を覆って透過性の光学部材が備えられている。光学部材には、発光部の列状に沿って複数の微細な平行線状からなる凹凸部が形成されている。
これにより、列状の光源を順次点灯させることで、複数の微細な平行線状の凹凸部が形成された光学部材によって帯状に発光させてバーグラフを照明表示するようにしている。
【先行技術文献】
【特許文献】
【０００３】
【特許文献１】特開２０１２−６８３８６号公報
【発明の概要】
【発明が解決しようとする課題】
【０００４】
特許文献１に記載の表示装置では、帯状に発光させて広い範囲を照明しようとすると、列状の光源（発光部）を全て点灯させなければならない。また、帯状の照明光は、平面的であり、奥行き感に乏しい。
したがって、照明装置としては、広範囲の照明や立体的な照明とすることに、改善の余地がある。
【０００５】
本発明は上記実情に鑑みてなされたものであり、少ない光源で広範囲を立体的に照明することができる照明装置を提供することを目的とする。
【課題を解決するための手段】
【０００６】
上記目的を達成するために、本発明に係る照明装置は、
光源と、
前記光源からの光を導光し、導光した前記光を第１方向に沿って延びる出射面から出射する第１光学部材と、
前記第１方向に交差する第２方向に沿って延び、前記第１方向に沿って並んだ複数の凹部または凸部を表面又は裏面に有し、前記第１光学部材が出射した光が入射する透光性の第２光学部材と、を備え、
前記第２光学部材は、前記第１光学部材から入射する光を、前記複数の凹部または凸部で同一方向に出射させ、且つ、前記複数の凹部または凸部の前記第２方向の端の一部が前記第１光学部材から出射される光を透過させないようにケース部材に覆われる、
ことを特徴とする。
【発明の効果】
【０００７】
本発明によれば、少ない光源で広範囲を立体的に照明することができる。
【図面の簡単な説明】
【０００８】
【図１】本発明の照明装置の一実施形態に係る計器装置とともに示す正面図である。
【図２】本発明の照明装置の一実施形態に係る図１中のＢ−Ｂ断面図である。
【図３】本発明の照明装置の一実施形態に係る概略縦断面図および（ａ）中のＡ−Ａ断面図である。
【図４】本発明の照明装置の一実施形態に係る明るさの変化の原理説明図である。
【図５】本発明の照明装置の他の一実施形態に係る概略横断面図である。
【図６】本発明の照明装置の他の一実施形態に係る概略縦断面図である。
【図７】本発明の照明装置のさらに他の一実施形態に係る概略横断面図である。
【図８】本発明の照明装置の他の一実施形態に係る概略横断面図である。
【発明を実施するための形態】
【０００９】
本発明の一実施形態に係る照明装置を、図面を参照して詳細に説明する。
本実施形態の照明装置１は、例えば自動車や二輪車等の車両用の計器装置１００に組み込まれるものである。ここでは、まず、計器装置１００の構成を説明し、その後、表示装置１について説明する。
なお、以下の説明では、照明装置１および計器装置１００を正面視したとき（つまり、ユーザーが照明装置１を正面から見て計測値などの意匠部（指標部）を確認する場合）の視認側を「表」といい、背面側を「裏」ということにする。
【００１０】
計器装置１００は、搭載される車両に関する各種情報を報知する複合計器として構成され、図１および図２に示すように、第１計器部１０と、第２計器部２０と、回路基板４０と、中ケース５０と、表示板６０と、計器用光源７０と、下ケース８０と、を備える。
【００１１】
（計器装置１００）
第１計器部１０は、例えば指針式のスピードメータであり、目盛り、数値等の図示しない意匠部（指標部）と、この意匠部（指標部）を指示する指針１１とを対比判読させることにより車速を報知する。指針１１は、その回転中心となる回転中心部１１ａと回転中心部１１ａから放射方向に突き出した指示部１１ｂとが，例えば、ＰＭＭＡ（Polymethymethacrylate）等の透明樹脂で一体に形成されている。回転中心部１１ａは、遮光性の所定の合成樹脂からなる指針キャップ１１ｃで覆われている。指示部１１ｂは、後述する指針用光源７２の光を受けて発光するものである。指針１１は、駆動部であるステッピングモータ１２の回転軸１２ａに連結されて回転駆動される。
【００１２】
第２計器部２０は、例えば、指針式のタコメータであり、目盛り、数値等の図示しない意匠部（指標部）と、この意匠部（指標部）を指示する指針２１とを対比判読させることによりエンジンの回転数を報知する。第２計器部２０の構成は第１計器部１０と同様であるため、以下の説明は省略する。
【００１３】
回路基板４０は、図２に示すように、例えば、ガラスエポキシ樹脂（Glass Fiber Reinforced Plastics）からなる絶縁性を有する板状の基材に各種配線がプリントされている。回路基板４０には、各種電子部品が実装されている。
回路基板４０に実装される各種電子部品は、計器装置１００の各部の動作を制御する制御部（図示しないマイクロコンピュータ等）、指針１１を回転駆動するステッピングモータ１２、各種電子部品に接続される回路を構成する抵抗やコンデンサ、計器用光源７０である表示板６０を照明するための表示板用光源７１や指針用光源７２などである。
制御部は、計器装置１００の外部装置（例えば、車両のＥＣＵ（Electronic Control Unit））から車両の速度等の車両情報を取得し、取得した情報に基づいて、表示板用光源７１や指針用光源７２を点灯／消灯させたり、指針１１を回転駆動するステッピングモータ１２を動作させる。
表示板用光源７１や指針用光源７２は、図２に示すように、回路基板４０の表側に実装されている。また、図示しないが、制御部は、回路基板４０の表側に実装され、ステッピングモータ１２は、回路基板４０の裏側に実装されている。
【００１４】
中ケース５０は、回路基板４０の表側に位置し、複合計器を構成する第１計器部１０、第２計器部２０などを収納し、表示板６０などの計器装置１００を構成する部品を保持する。中ケース５０は、例えば、ポリプロピレン（Polypropylene）などの樹脂により白色に形成される。
中ケース５０は、図２に第１計器部１０の断面構造を示すように、中心部に形成される内筒部５１と、外周側の外筒部５２とこれらをつなぐ連結部５３と、を備えている。
中ケース５０の中央部の内筒部５１の内側には、指針１１の回転中心部１１ａが位置し、円周上の指針用光源７２の光を、指針１１の回転軸を中心とする径方向に拡がらないように遮蔽しながら、指針１１を発光させる。
中ケース５０の内筒部５１、外筒部５２および連結部５３とで形成される空間は、第１計器部１０に対応する表示板６０の裏側を囲む照明空間５４を構成する。照明空間５４内には、表示板用光源７１が設けられ、例えば、円周上等間隔に表示板用光源７１を配置し、外筒部５２および連結部５３の形状を、例えば、お椀形状の略凹曲面とし、均一な光として表示板６０の裏側から透過させて照明を行う。照明空間５４は、表示板用光源７１の消灯時には、遮光されて暗所状態となる。
【００１５】
表示板６０は、所定の樹脂、例えば、ポリカーボネイト樹脂により形成された透光性を有する板材と、この板材の表側及び／又は裏側に形成された遮光性の印刷層と、から構成されている。印刷層の一部は抜き文字状となっており、表示板６０において、指針１１の指示対象である数値、目盛り等の図示しない意匠部（指標部）を形成している。なお、抜き文字状の部分に、透光性の印刷層を形成しても良い。
【００１６】
計器用光源７０は、表示板用光源７１と指針用光源７２とを備える。表示板用光源７１は、表示板６０を透過照明するためのものである。指針用光源７２は、指針１１を発光させるためのものである。表示板用光源７１および指針用光源７２は、例えば、ＬＥＤ（Light Emitting Diode）から構成されている。表示板用光源７１および指針用光源７２は、回路基板４０の表側に実装されている。
表示板用光源７１は、指針１１の回転中心部１１ａの軸線を中心とし、中ケース５０の内筒部５１より外側（大径）の円周上等間隔に並べて全周に複数配置されている。表示板用光源７１からの光は、導光板７０ａを介して導光され、表示板６０を透過して意匠部（指標部）を照明する。
指針用光源７２は、指針１１の回転中心部１１ａの軸線を中心とし、中ケース５０の内筒部５１の内側（小径）の円周上等間隔に並べて指針１１の回動範囲に対応して複数配置されている。指針用光源７２からの光は、指針１１の回転中心部１１ａに入射され、指針１１の指示部１１ｂを発光させる。
表示板用光源７１と指針用光源７２は、中ケース５０の内筒部５１でそれぞれが遮光されて表示板６０を照明し、指針１１を発光する。
【００１７】
計器装置１００は、表示板６０の表側に見返し部材（図示せず）を備えており、計器装置１００の不要箇所を隠すようにしている。見返し部材は、例えば、ＡＢＳ（Acrylonitrile Butadiene Styrene copolymer）などの樹脂を用い、例えば、黒色とされて遮光性を有している。見返し部材には、第１計器部１０、第２計器部２０及び後述する照明装置１を覗かせる開口部が設けられており、これらの開口部を塞ぐように透明板（図示せず）、例えば、ガラスが取り付けられている。
【００１８】
下ケース８０は、回路基板４０を挟んで中ケース５０の裏側に位置する。下ケース８０と、透明板で塞がれた見返し部材と、が組み合わされることで、略箱状になり計器装置１００の筐体を構成する。
【００１９】
このような計器装置１００によれば、表示板６０の意匠部（指標部）は、表示板用光源７１により透過照明がなされる。すなわち、指針１１の指示対象である数値、目盛り等の図示しない意匠部（指標部）が形成された表示板６０の裏側（背面側）には、中ケース５０の内筒部５１、外筒部５２および連結部５３とで形成される照明空間５４が配置されている。照明空間５４内には、円周上等間隔に表示板用光源７１が配置されて回路基板４０上に設けてある。
これにより、表示板用光源７１からの光は、導光板７０ａを介して照明空間５４に出射され、照明空間５４の形状、例えば、お椀形状の略凹曲面形状によって均一な光として表示板６０の裏側から照射され、表示板６０の意匠部が透過照明される。
また、計器装置１００は、以下の照明装置１によって広範囲に、立体的に照明される。
【００２０】
（照明装置１）
次に、本実施形態にかかる照明装置１について説明する。
本実施形態の照明装置１は、図１に示すように、例えば、計器装置１００に組み込まれ、第１計器部１０および第２計器部２０の前方に跨がるように配置される。
これにより、照明装置１は、計器装置１００を 横長の矩形の照明範囲Ｚを長手方向である第１方向Ｘに広く光輝させて照明すると同時に、照明範囲Ｚの長手方向である第１方向Ｘと交差する方向である第２方向Ｙに明暗を付与して立体的な照明としてデザイン性を高めて照明する。
本実施形態では、照明装置１は、図３に示すように、光源２と、光源２からの光を導光し、導光した光を第１方向Ｘに沿って延びる出射面から出射する第１光学部材３と、第１方向Ｘに交差する第２方向Ｙに沿って延び、第１方向Ｘに沿って並んだ複数の凹部または凸部４ｂを表面又は裏面に有し、第１光学部材３が出射した光が入射する透光性の第２光学部材４と、を備え、第２光学材４は、第１光学部材３から入射する光を、複数の凹部または凸部４ｂで同一方向に出射させるように構成してある。
【００２１】
光源２は、照明用の光源で有り、例えば、ＬＥＤから構成されている。照明用の光源２は、例えば、表示装置１が組み込まれる計測装置１００と共用の回路基板４０の表側に実装される。本実施形態では、光源２は、横長の矩形の第１光学部材３の長手方向である第１方向Ｘの両端部、すなわち照明範囲Ｚの左右方向両端部に対向して配置され、両端部から入射した光を導光して基材３ａの表面から表側に向けて出射する。
光源２は、回路基板４０の表側に支持されたケース部材５によって囲まれ、計器装置１００の計器用光源７０である表示板用光源７１および指針用光源７２と遮光（区画）されている。
照明用の光源２は、任意の色のものを用いることができ、例えば、デザイン性を考慮した一色とする場合に限らず、複数の色の光源２を設けて点灯を切り替えて使用しても良い。
【００２２】
第１光学部材３は、光源２からの光を導光し、導光した光を第１方向Ｘに沿って延びる出射面から出射するように構成される。第１光学部材３は、照明範囲Ｚの長手方向である第１方向Ｘに延びる横長の矩形の光透過性の基材３ａを備え、基材３ａの表面が出射面を構成する。基材３ａは、表面または裏面に凹部または凸部３ｂを有している。
光透過性の基材３ａは、例えばポリカーボネート（ＰＣ：Polycarbonate）などの合成樹脂で構成され、横断面形状が矩形とされる。基材３ａは、長手方向である第１方向Ｘが照明範囲Ｚの左右方向に沿って延び、両端部が裏側に突き出した略コ字状とされている。第１光学部材３の略コ字状の角部には、傾斜面が形成されて反射面とされる。第１光学部材３は、左右方向両端の裏面を光源２からの受光面(入射面）とし、第１方向Ｘに延びる表面が出射面とされて光源２からの光を導光して出射する。光透過性の基材３ａには、例えば、図３（ａ）に示すように、基材３ａの裏面に線状の凹部３ｂが照明範囲Ｚに並べて形成されている。線状の凹部３ｂは、基材３ａの裏面に、前後方向に沿う微細な断面形状が三角形状の溝状とされ、例えば、前後方向の直線状の微細な引っかき傷を照明範囲Ｚの長手方向である第１方向Ｘに多数（複数）並べて形成してある。第１光学部材３は、図示しない支持部を介して回路基板４０の表側に支持されている。
この線状の凹部３ｂにより、光源２からの光が基材３ａの長手方向である第１方向Ｘの両端の裏面から表側に向けて導光されると、基材３ａの表側の角部の傾斜面で反射して長手方向である第１方向Ｘの他端部に向けて導光され、各凹部３ｂで反射されて基材３ａの凹部３ｂの微細な間隔に応じた線状の光となる。線状に導光された光は、基材３ａの表面である出射面から第１方向Ｘに延びる照明範囲Ｚに出射される。
すなわち、２つのＬＥＤによる光源２からの光が、第１光学部材３の凹部３ｂによって線状の光が照明範囲Ｚの長手方向である第１方向Ｘに微細な間隔で並べて出射される状態になり、照明範囲Ｚが多数の線状の出射光で光輝される。
【００２３】
第２光学部材４は、第１方向Ｘに交差する第２方向Ｙに沿って延びる光透過性の基材４ａを有している。基材４ａは、表面または裏面に、第１光学部材３の照明範囲Ｚの長手方向である第１方向Ｘに沿って並んだ複数の線状の凹部または凸部４ｂを有して構成される。本実施形態では、第２光学部材４は、光透過性の基材４ａの裏面に、第１光学部材３の照明範囲Ｚの長手方向である第１方向Ｘに沿って複数の線状の凸部４ｂを形成して構成される。
光透過性の基材４ａは、第１光学部材３の表側に配置されている。第２光学部材４は、第１光学部材３から照明範囲Ｚに出射される光（中心の光）を、例えば、基材４ａの裏面に照明範囲Ｚの長手方向である第１方向Ｘに沿って形成した線状の凸部４ｂを透過させて各凸部４ｂから(中心の光を）同一方向に出射させる。すなわち、第１光学部材３から入射される光は、中心の光だけでなく放射方向に広がることから、複数の線状の凸部４ｂを透過して同一方向に出射されると、出射された光は、光路長Ｌの変化により光量が変化し明暗を有して第２光学部材４から出射されることになる。
これにより、第２光学部材４からの出射光は、例えば照明範囲Ｚの長手方向である第１方向Ｘと交差する第２方向Ｙに明暗を有して光輝され、立体的な照明となる。
【００２４】
光透過性の基材４ａは、例えばポリカーボネート（ＰＣ：Polycarbonate）などの合成樹脂で作られる。基材４ａには、例えば、図３（ｂ）に示すように、裏面に微細な線状の凸部４ｂが多数間隔を狭めて形成されている。線状の凸部４ｂは、照明範囲Ｚの長手方向である第１方向Ｘに沿った方向に形成される。第１光学部材３の凹部３ｂが照明範囲Ｚの長手方向である第１方向Ｘと直交して前後方向に沿う線状に形成されるのに対し、線状の凸部４ｂは、照明範囲Ｚの長手方向である第１方向Ｘに沿った方向、ここでは、凹部３ｂの線状の方向と交差する方向である直交する左右方向に沿って複数形成してある。線状の凸部４ｂは、横断面形状が半円形とされた半円柱状とされ、円弧面が裏面側（第１光学部材３側）に突き出すように並べて構成されている。
【００２５】
この線状の凸部４ｂにより、図４に示すように、光源２から第１光学部材３の凹部３ｂを介して出射した光が基材４ａの線状の凸部４ｂに向けて入射されると、入射される光のうち光路長Ｌが最も短いＬ1の前後方向中央への光は、線状の凸部４ｂの半円の頂部から中心を通って同一方向のまっすぐ表側に出射されるが、光路長Ｌ1が短い分だけ光量が多く明るい出射光となる。一方、入射される光のうち光路長Ｌが最も長いＬ2の前後方向両端への光は、線状の凸部４ｂの半円の側面部から中心を通って同一方向のまっすぐ表側に出射されるが、光路長Ｌ2が長い分だけ光量が少なく、暗い出射光となる。そして、光路長Ｌ2が長くなった出射光は、図４に示すように、光路長Ｌ2が長くなった分だけ光源２が遠くになったように見え、立体感や奥行き感が生じる。
したがって、第２光学部材４の前後方向中央から両端までの間の出射光は、光路長Ｌが次第に長くなることから、次第に光量が少なくなって次第に暗くなるとともに、光源２が次第に遠くなる立体感や奥行き感が生じる。
すなわち、本実施形態の照明装置１では、２つのＬＥＤによる光源２からの光が、照明範囲Ｚの長手方向である第１方向Ｘに延びる第１光学部材３に導光される。導光された光は、第１光学部材３の凹部３ｂによって線状の光として照明範囲Ｚの長手方向である第１方向Ｘ（幅方向）に並ぶように出射され、広範囲の線状の出射光となる。
さらに、第１光学部材３から出射した光が、第２光学部材４の線状の凸部４ｂを透過して同一方向に出射されることで、２つのＬＥＤの光源２で照明範囲Ｚの前後方向である第２方向Ｙの中央から両端までの間の出射光は、光路長Ｌが変わることで光量が少なくなって次第に暗くなるとともに、光源２が次第に遠くなる立体感や奥行き感が生じた状態となる。これにより、照明装置１としては、照明範囲Ｚを広く立体的に照明することができる。
【００２６】
また、照明装置１では、例えば図５に示すように、第２光学部材４の中央から前方端までの範囲の線状の凸部４ｂをケース部材５で覆うことで、第１光学部材３の凹部３ｂから出射される光を透過させないようにしている。
こうすることで、照明装置１の照明範囲Ｚでの照明が、図１中に拡大して示すように、左右の長手方向である第１方向Ｘには、広範囲の線状の出射光となり、しかも前後方向である第２方向Ｙの奥側から手前側には、次第に暗くなるとともに、光源２が次第に遠く感じられる立体感や奥行き感が生じた状態となり、照明装置１として照明範囲Ｚを広く、立体的に照明することができる。
なお、第２光学部材４の中央から前方端までの範囲の線状の凸部４ｂをケース部材５で覆うことに代え、反対側、すなわち中央から後方端までの範囲の線状の凸部４ｂをケース部材５で覆うことで、明暗が逆となり、前後方向の手前側から奥側が、次第に暗くなるとともに、光源２が次第に遠く感じられる立体感や奥行き感が生じた状態とすることもできる。
さらに、第２光学部材４の線状の凸部４ｂを覆うことなく、第１光学部材３をケース部材５の片側に接近させて設置するようにしても良い。こうすることで、ケース部材５の片側の第１光学部材３から出射される光の光路長Ｌ1が最も短くなり、ケース部材５の反対側に向かって光路長Ｌ2が次第に長くなるようにしても、半分をケース部材５で覆う上記と同様の効果を得ることができる。
【００２７】
また、照明装置１としては、第１光学部材３の凹部３ｂを光透過性の基材３ａの裏面に形成する場合を例に説明したが、図６に示すように、基材３ａの表面に形成するようにしても良く、光源２から光を照明範囲Ｚ、すなわち第１方向Ｘである左右の幅方向に広げて線状に出射することができる。
さらに、第２光学部材４の線状の凸部４ｂについても、図示省略したが、基材４ａの表面に形成するようにしても良い。
このような表面または裏面に形成する第１光学部材３の凹部３ｂおよび第２光学部材４の線状の凸部４ｂについては、裏面に形成するようにすれば、埃の混入などを防止して安定した状態で照明することができる。
【００２８】
次に、本発明の照明装置の他の実施形態について、図７により説明する。
照明装置１Ａでは、第２光学部材４を第１光学部材３に対して平行でなく、傾斜させて設置してある。なお、他の構成は、既に説明した照明装置１と同一である。
このように傾けた第２光学部材４により、第１光学部材３の凹部３ｂから出射される光の第２光学部材４の線状の凸部４ｂまでの光路長Ｌの変化の範囲を大きくすることが可能となる。これにより、照明装置１Ａでは、前後方向中央部から前方側と中央部から手前側の光の変化量が変わり、照明範囲Ｚ全体の明暗の変化を大きくすることができ、一層立体的な照明にすることができる。
特に、図示しないが、第１光学部材３を、傾斜させた第２光学部材４の傾斜下端側に接近させて設置し、傾斜上端側と離隔させて設置することで、光路長Ｌをより短い状態からより長い状態まで、変化の範囲を大きくすることができる。
これにより、照明装置１Ａによれば、広範囲をより立体的に照明することができる。
【００２９】
次に、本発明の照明装置の他の実施形態について、図８により説明する。
照明装置１Ｂは、第２光学部材４を、第１光学部材３に対して前後方向に湾曲させて設置するように構成したものである。なお、他の構成は、既に説明した照明装置１と同一である。
こうすることで、第１光学部材３から出射した光の線状の凸部４ｂまでの光路長Ｌの変化を滑らかにして、滑らかに光量を変化させることができる。これにより、照明装置１Ｂによれば、広範囲を照明できるとともに、光量が滑らかに変化する立体的な照明とすることができる。
また、第２光学部材４の湾曲の曲率中心に対して、第１光学部材３の位置をずらすようにすれば、第１光学部材３の凹部３ｂから出射する光の光路長Ｌを大きく変化させて光量の変化の範囲を大きくし、より立体的に照明することも可能となる。
【００３０】
なお、上記の実施の形態では、第１光学部材３の凹部３ｂの形状を直線状の横断面が３角形状の溝状とした場合を例に、線状の凹部３ｂを並べて形成するようにしたが、これに限らず、凸部としたり、他の横断面形状であっても良く、例えば球状の突起を並べるなど、光源からの光を並べた状態で広く照射できるものであれば良い。
同様に、第２光学部材４の線状の凸部４ｂについても、横断面を半円形とし、線状の半円柱状の凸部４ｂを並べて構成した場合を例に説明したが、凹部としたり、他の横断面形状であっても良く、第１光学部材３の凹部または凸部３ｂから出射される光を、同一方向に出射することで、立体感や奥行き感を付与して照明できるようにしたものであれば良い。
また、第１光学部材３の凹部３ｂを前後方向に配置し、第２光学部材４の線状の凸部４ｂを直交させて左右方向に配置するようにしたが、凹部３ｂの方向を前後方向から変更したり、線状の凸部４ｂの方向についても、直交する方向以外の交差する方向としても良く、照明する光の広がり方や明暗による立体感が生じる方向を変えることができる。
さらに、照明装置１を、計器装置１００の照明に用いる場合を例に説明したが、計器装置に限らず、照明対象は、どのようなものであっても良く、広く、立体的に照明する必要があるものに適用することができる。
【００３１】
本発明の照明装置１によれば、光源２と、光源２からの光を導光し、導光した光を第１方向Ｘに沿って延びる出射面から出射する第１光学部材３と、第１方向Ｘに交差する第２方向Ｙに沿って延び、第１方向Ｘに沿って並んだ複数の凹部または凸部４ｂを表面又は裏面に有し、第１光学部材３が出射した光が入射する透光性の第２光学部材４と、を備え、第２光学材４は、第１光学部材３から入射する光を、複数の凹部または凸部４ｂで同一方向に出射させるように構成したので、光源２からの光が、第１光学部材３の凹部または凸部３ｂによって照明範囲Ｚに広がって出射される状態になり、広範囲の出射光となる。さらに、第１光学部材３から出射した光が、第２光学部材４の複数の凹部または凸部４ｂを透過して同一方向に出射されることで、光路長が長い出射光は、光量が少なくなって次第に暗くなるとともに、光源２が次第に遠くなる立体感や奥行き感が生じた状態となる。
これにより、照明装置１としては、照明範囲Ｚを広く、明暗によって立体的に照明することができる。
【００３２】
本発明の照明装置１によれば、第１光学部材３は、第１方向Ｘに交差する線状の凹部または凸部３ｂを有しているので、第１光学部材３の線状の凹部または凸部３ｂによって線状の光が照明範囲Ｚに並ぶように出射され、広範囲の線状の出射光にすることができる。
【００３３】
本発明の照明装置１によれば、第２光学部材４の複数の凹部または凸部４ｂは、横断面形状を半円状に形成して構成したので、第１光学部材３の凹部または凸部３ｂから出射された光を、同一方向に出射することで、光路長を変えて光量を変化させ、次第に暗くなるとともに、光源２が次第に遠くなる立体感や奥行き感が生じた出射光とすることができる。
これにより、照明装置１としては、照明範囲Ｚを広く一層立体的に照明することができる。
【００３４】
本発明の照明装置１によれば、第２光学部材４は、複数の凹部または凸部４ｂの一部を覆うケース部材５を有しているので、第２光学部材４の複数の凹部または凸部４ｂから出射される光の次第に暗くなる位置や範囲、照明が立体的に見える光源２の奥行き感を変えることができる。
【００３５】
本発明の照明装置１Ａ，１Ｂによれば、第２光学部材４は、第１光学部材３に対して傾斜または湾曲させて配置したので、第１光学部材３の凹部または凸部３ｂから同一方向に出射される光の光路長を大きく変化させたり、滑らかに変化させることができ、照明装置１Ａ，１Ｂとしての適用範囲を広げることができる。
【００３６】
なお、本発明は、上記の各実施形態に限定されることなく、種々の態様で実施することができる。
【符号の説明】
【００３７】
１        照明装置
１Ａ      照明装置
１Ｂ      照明装置
２        光源（照明用光源）
３        第１光学部材
３ａ      基材
３ｂ      凹部（凹部または凸部）
４        第２光学部材
４ａ      基材
４ｂ      凸部（複数の凹部または凸部）
５        ケース部材
Ｌ        光路長
Ｘ        第１方向
Ｙ        第２方向
１００    計器装置
１０      第１計器部
１１      指針
１１ａ    回転中心部
１１ｂ    指示部
１１ｃ    指針キャップ
１２      ステッピングモータ
１２ａ    回転軸
２０      第２計器部
２１      指針
４０      回路基板
５０      中ケース
５１      内筒部
５２      外筒部
５３      連結部
５４      照明空間
６０      表示板
７０      計器用光源
７０ａ    導光板
７１      表示板用光源
７２      指針用光源
８０      下ケース
【図１】
0006455024.tif 000002
【図２】
0006455024.tif 000003
【図３】
0006455024.tif 000004
【図４】
0006455024.tif 000005
【図５】
0006455024.tif 000006
【図６】
0006455024.tif 000007
【図７】
0006455024.tif 000008
【図８】
0006455024.tif 000009